(57)【特許請求の範囲】
【請求項１】
建物の構築領域で地盤を連続的に掘削して形成された根切り部に所定間隔で設置される複数のプレキャストコンクリート底盤と、
鉛直方向に直立して建物を支持する立上部と、この立上部の中央部下部から側方に突出すると共に、上方から下方に貫通する複数のコンクリート充填口が形成されたフーティング部と、を有して前記プレキャストコンクリート底盤間に架設されるプレキャストコンクリート基礎と、
前記建物の外側で前記フーティング部に対向する位置で上面を前記フーティング部の上面と同じ高さにして地盤上に設置される支持底盤と、
建物への出入口外側に設けられる基礎床部の床面を構成する床版と、前記床版を支持するコ字状の床版支持部材とを有するプレキャストコンクリート基礎床部材とを含み、
前記床版支持部材は、コ字状の開放側端部を前記フーティング部に載置し、他方側端部を前記支持底盤上に載置して、前記床版支持部材及び前記プレキャストコンクリート基礎の立上部によって囲まれるコンクリート打設領域を構築することを特徴とするプレキャストコンクリート基礎構造。
【請求項２】
請求項１記載のプレキャストコンクリート基礎構造において、
前記プレキャストコンクリート基礎床部材は、複数のプレキャストコンクリート板が組み合わされて枠体をなすことを特徴とするプレキャストコンクリート基礎構造。
【請求項３】
請求項１又は２記載のプレキャストコンクリート基礎構造において、
前記床版は、予め表面処理が施されてなることを特徴とするプレキャストコンクリート基礎構造。
【発明の詳細な説明】
【０００１】
【産業上の利用分野】
本発明は、建築物の地盤に構築されるプレキャストコンクリート（以下、ＰＣという）基礎構造に関し、特に、建築現場でのフーティングの構築作業及び建物の出入口外側に設けられる基礎床の構築作業を簡略化できるＰＣ基礎構造に関する。
【０００２】
【従来の技術及び発明が解決しようとする課題】
従来、基礎構築作業において、基礎の型枠を根切り部に沿って連続して立設する作業は、手間のかかるもので工期の長期化につながり、コストを上昇させるものであった。また、コンクリートを養生する作業も、数日を必要とするもので工期を長引かせる原因となっており、さらに、型枠の取り外しやモルタル処理も手間のかかる作業であった。
【０００３】
そこで、建築現場における基礎部構築作業をより簡略化かつ迅速化するために、工場段階において予め製造されたＰＣ基礎を根切り部に設置する構築形式が考えられた。
【０００４】
そして、フーティング構築のための建築現場でのコンクリート打設、養生作業も簡略化するために、フーティング部が一体化されたＰＣ基礎構造が提案された（特願平５−２５１０６３号）。
【０００５】
また、この基礎構造によれば、ＰＣ基礎の下部にフーティング部が突出して設けられているので、これを利用して玄関や勝手口などの出入口外側に設けられる基礎床もＰＣ化できれば、この基礎床の構築作業も簡略化することができる。
【０００６】
そこで、本発明の目的は、フーティングの構築作業のみならず、基礎床の構築作業をも簡略化できるＰＣ基礎構造を提供することにある。
【０００７】
【課題を解決するための手段】
上記目的を達成するために、請求項１記載の発明は、建物の構築領域で地盤を連続的に掘削して形成された根切り部に所定間隔で設置される複数のプレキャストコンクリート底盤と、
鉛直方向に直立して建物を支持する立上部と、この立上部の中央部下部から側方に突出すると共に、上方から下方に貫通する複数のコンクリート充填口が形成されたフーティング部と、を有して前記プレキャストコンクリート底盤間に架設されるプレキャストコンクリート基礎と、
前記建物の外側で前記フーティング部に対向する位置で上面を前記フーティング部の上面と同じ高さにして地盤上に設置される支持底盤と、
建物への出入口外側に設けられる基礎床部の床面を構成する床版と、前記床版を支持するコ字状の床版支持部材とを有するプレキャストコンクリート基礎床部材とを含み、
前記床版支持部材は、コ字状の開放側端部を前記フーティング部に載置し、他方側端部を前記支持底盤上に載置して、前記床版支持部材及び前記プレキャストコンクリート基礎の立上部によって囲まれるコンクリート打設領域を構築することを特徴とする。
【００１０】
請求項２記載の発明は、請求項１記載のプレキャストコンクリート基礎構造において、前記プレキャストコンクリート基礎床部材は、複数のプレキャストコンクリート板が組み合わされて枠体をなすことを特徴とする。
【００１１】
また、請求項３記載の発明は、請求項１又は２記載のプレキャストコンクリート基礎構造において、前記床版は、予め表面処理が施されてなることを特徴とする。
【００１２】
【作用】
請求項１記載の発明によれば、建物構築領域で地盤を例えば布掘りして根切り部を形成し、この根切り部に所定間隔を置いて複数のＰＣ底盤を設置し、このＰＣ底盤にＰＣ基礎を架設する。このＰＣ基礎は、フーティング部を有しているのでＰＣ底盤間に架け渡して設置すれば、ＰＣ基礎が独立して直立できることになり、建築現場でのコンクリート打設、養生作業を簡略化できる。
【００１３】
また、フーティング部は立上部から側方に突出しているので、このフーティング部と、地盤上に設置される支持底盤と、の間にＰＣ基礎床部材を架け渡して設置する。このＰＣ基礎床部材は、基礎床部の少なくとも一部を構成するので、基礎床部の少なくとも一部がＰＣ化されることとなって、この点でも建築現場でのコンクリート打設、養生作業を簡略化できることとなる。
【００１４】
特に、ＰＣ基礎床部材は、床版と床版支持部材とを含むもので、床版が基礎床部の床面を構成することから、大幅に作業を簡略化することができる。
【００１５】
また、ＰＣ基礎床部材は、打設コンクリートを保持可能なコ字状をなすもので、基礎床部の床面は、建築現場でコンクリートを打設して構成することとなる。
【００１６】
特に、請求項２記載の発明によれば、ＰＣ基礎床部材は、ＰＣ板を組み合わせて枠体を構成するものなので、枠体の大きさをある程度自由に設定できて、基礎床部の床面の大きさを自由に設計変更できるようになる。
【００１７】
そして、請求項３記載の発明によれば、床版に予め表面処理が施されているので、建築現場での作業を簡略化することができる。
【００１８】
【実施例】
以下、本発明の実施例について、図面を参照して説明する。
【００１９】
図１及び図２は、本実施例に係る基礎構造の斜視図である。これらの図において、ＰＣ布基礎１０が、根切り部２０に設置されたＰＣ底盤３０間に架設されている。
【００２０】
根切り部２０は、地盤１００を布掘りして形成されており、この根切り部２０のコーナー部および所定位置にＰＣ底盤３０が設置されている。
【００２１】
このＰＣ底盤３０は、補強鉄筋（図示せず）を内部に有して強化されたコンクリート板であるため、建築現場で補強鉄筋をこのＰＣ底盤３０上に配設する作業を省略できる。また、このＰＣ底盤３０は、上面が滑らかな平面となっており、ＰＣ布基礎１０を架設するときにこの上面に位置合わせのための墨出しを行えるようになっている。
【００２２】
そして、このＰＣ底盤３０を根切り部２０に設置するときには、このＰＣ底盤３０の設置位置にモルタル２２を載置し、このモルタル２２の上にＰＣ底盤３０を載置する。そして、このＰＣ底盤３０を掛矢等で叩いて所定の高さで上面がほぼ水平になるよう調整作業を行う。なお、この作業は、水糸や水準器やレーザー光線による水準装置等を用いて水平レベルおよび高さを確認しながら行う。
【００２３】
次に、こうして設置されたＰＣ底盤３０間に架設されるＰＣ布基礎１０について説明する。ＰＣ布基礎１０には二種類があり、両端部に凹部１１が形成されたＰＣ布基礎１２（図中右側）と、一方の端部に凹部１１が形成され他方の端部に凸部１３が形成されたＰＣ布基礎１４（図中左側）とがある。そして、これらのＰＣ布基礎１２、１４は、いずれも立上部１６とフーティング部１８とを有する。
【００２４】
ＰＣ布基礎１２を例にとって説明すると、立上部１６は、上端にて建物の上部構造体を支持するもので、所定の厚さで直方体形状に形成され、内部に図示しない補強用の鉄筋が埋設されてコンクリートにて構成され、両端部には、肉厚が厚くなって横断面コ字状の凹部１１が形成されている。そして、ＰＣ布基礎１２同士を直線状に接合するときには、それぞれの凹部１１を対向させて設置し、この凹部１１の内部に鉄筋を配設してコンクリートを打設し、連結部の強化を図るようになっている。なお、図２において、立上部１６の上端部には、切欠１６ａが形成されている。この切欠１６ａは、玄関のドアなどを取り付けるために形成されたものである。
【００２５】
フーティング部１８は、立上り部１６を直立させて支持するものであって、立上り部１６の両側面において、内部に図示しない鉄筋を有して下端から側方に突出して形成されている。また、このフーティング部１８は、立上り部１６の中央部に形成されており、上記凹部１１の側面にはこのフーティング部１８は形成されない構成となっている。したがって、このＰＣ布基礎１２は、凹部１１の下面を架設部としてＰＣ底盤に載置するようになっている。そして、このフーティング部１８は、根切り部２０の地盤との間に所定間隔の隙間が形成されて、この隙間にコンクリートを打設できるようになっている。
【００２６】
また、このフーティング部１８にはコンクリート充填口１９が形成されている。このコンクリート充填口１９は、フーティング部１８の上面から下面に貫通する複数の矩形の穴であって、このコンクリート充填口１９からコンクリートを打設養生し固化させて、フーティング部１８を地盤１００に強固に固定できるようになっている。
【００２７】
次に、ＰＣ布基礎１４は、一方の端部に凸部１３を有する点で上記ＰＣ布基礎１２と異なる。
【００２８】
凸部１３は、基礎のコーナー部において、上記ＰＣ布基礎１２と直角に接合するため、立上り部１６の一方の端部に軸に直角に突出して形成されるものである。そして、この凸部１３の前端面には図示しない鉄筋が突出しており、この鉄筋を接合されるＰＣ布基礎１２の凹部１１に挿入し、この凹部１１にコンクリートを打設、養生し固化したときに、ＰＣ布基礎１２とＰＣ布基礎１４とをしっかりと結合することができる。
【００２９】
また、この凸部１３が形成された端部にはフーティング部１８が形成されず、フーティング部１８は立上り部１６の中央部に形成された構成となっている。その他の構成は上記ＰＣ布基礎１２と同様である。
【００３０】
なお、ＰＣ布基礎１２およびＰＣ布基礎１４は、いずれも予め工場で表面が処理された状態となっている。
【００３１】
そして、これらのＰＣ布基礎１０は、ＰＣ底盤３０の上面に設置位置の墨出しを行い位置合わせをして、ＰＣ底盤３０間に架け渡して載置される。このＰＣ布基礎１０にはフーティング部１８が一体的に形成されているので、建築現場でフーティングを構築する必要がない。
【００３２】
ただ、フーティング部１８に形成されたコンクリート充填口１９にコンクリートを打設、養生し固化する作業を行って、フーティング部１８を地盤１００に固定するだけで足りる。このとき、地盤１００とフーテイング部１８との間に隙間が形成されるので、コンクリートを打設したときにこの隙間から侵入したコンクリートが前記コンクリート充填口１９に下から満たされて、上端部から溢れ出たことを確認してコンクリートの充填を確実に行うことができる。この作業は、フーティング全体を構築する作業と比較すると、打設するコンクリートが少量なので養生期間も短期間で足り、コンクリート打設、養生作業を簡略化できる。そして、コンクリート充填口１９内にコンクリートを打設、養生し固化すると、このフーティング部１８を地盤１００にしっかりと固定することができる。
【００３３】
次に、本実施例における特徴的構成として、建物の出入口外側に設けられる基礎床も、少なくとも一部がＰＣ化されている点がある。これを、まず図１に基づいて説明する。
【００３４】
図１において、基礎床は、ＰＣ支持底盤３２とＰＣ基礎床部材４０にて構成される。
【００３５】
ＰＣ支持底盤３２は、上面をフーティング部１８の上面と同じ高さにして、ＰＣ床部材４０を載置支持するものである。そして、このＰＣ支持底盤３２は、上記ＰＣ底盤３０を小型化したようなものであるが、ＰＣ底盤３０ほどの重い荷重を支持するものではないため、内部に鉄筋などは設けられていない。
【００３６】
ＰＣ基礎床部材４０は、直方体のブロック形状をなすもので、一体化されたものであってもよいが、本実施例では、床版４２と床版支持部４４とで構成されている。
【００３７】
床版４２は、ＰＣ板であって上面が、基礎床の床面を構成するものである。したがって、例えば、この面にモルタルを塗ったり、タイルを貼り付けたりして、予め表面処理を施しておけば、建築現場での作業を簡略化することができる。
【００３８】
床版支持部４４は、図１に示すように、一方の端部をフーティング部１８上に載置し、他方の端部をＰＣ支持底盤３２上に載置して、架け渡して設置するものである。そして、上に床版４２を載置して支持するようになっている。また、この床版支持部材４４は、図示されないが、平面視においてロ字状又はコ字状をなし、内部が空洞となっているので軽量化が図られることとなる。
【００３９】
そして、基礎床を構築するには、上述したようにして設置されたＰＣ布基礎１０のフーティング部１８と対向する位置に、ＰＣ支持底盤３２を設置する。ここで、このＰＣ支持底盤３２は、上面がフーティング部１８の上面と同じ高さにする。そして、フーティング部１８とＰＣ支持底盤３２との間に架け渡して、床版支持部４４を載置し、さらにこの床版支持部４４の上に床版４２を載置すれば基礎床が完成する。
【００４０】
次に、図２における基礎床について説明する。図１の実施例は、比較的小さな基礎床を構築する場合に本発明を適用したものであるが、基礎床が大きくなる場合には、図２のようにして基礎床を構築することが好ましい。
【００４１】
図２において、基礎床を構築するために、ＰＣ支持底盤３４と、ＰＣ板５２、５４と、が用いられる。ＰＣ支持底盤３４は、上述したＰＣ支持底盤３２と同様であるので説明を省略する。
【００４２】
ＰＣ板５２は、所定位置に設置されたＰＣ支持底盤３４と、フーティング部１８と、の間に立てた状態で架け渡されるものである。また、ＰＣ板５４は、ＰＣ支持底盤３４、３４間に立てた状態で架け渡して、ＰＣ板５２、５２の先端部に接続されるものである。こうして、ＰＣ板５２、５４及びＰＣ布基礎１０の立上部１６とで囲まれて、コンクリート打設領域５０が形成される。
【００４３】
したがって、このコンクリート打設領域５０にコンクリートを打設すれば、基礎床が構築されることとなる。こうして基礎床を構築すれば、コンクリートを打設する領域を簡単に区画できるので、基礎床構築のための型枠の設置やその取り外しを省略することができる。なお、ＰＣ板５２、５４には、図２に示すように、上端部に切り溝５２ａ、５４ａが設けられているので、この切り溝５２ａ、５４ａに、床版を載置するようにしてもよい。ただし、この場合には、ＰＣ板５２、５４及び床版を相互に連結する必要がある。この連結は、公知のボルト及びナット等の締結治具で行う。
【００４４】
また、図２に示すように、コンクリートを打設して基礎床を構築する場合には、ＰＣ布基礎１０を地盤に固定するためのコンクリートの打設も、基礎床の構築と同時に行うことが作業の効率化を図る上で好ましい。すなわち、ＰＣ布基礎１０を所定位置に設置し、かつ、ＰＣ支持底盤３４及びＰＣ板５２、５４を設置した後に、全てのコンクリート打設作業を同時に行うことが好ましいのである。
【００４５】
なお、本発明は、上記実施例に限定されるものではなく、発明の要旨の範囲内で種々の変形が可能である。例えば、図２において、コンクリート打設領域５０は、ＰＣ板５２、５４をコ字状に設置して形成したが、これに限定されるものではなく、一体化されたコ字状、ロ字状、あるいは所望の形状の枠体を用いてコンクリート打設領域を形成してもよい。
【００４６】
また、図１に示すように、床版にて基礎床の床面を構成する場合にも、この床版の形状は必要に応じて円形や多角形にしてもよい。
【００４７】
【発明の効果】
以上説明したように、本発明によれば、ＰＣ基礎がフーティング部を有しているとともに、基礎床部の少なくとも一部がＰＣ化されているので、建築現場でのコンクリート打設、養生作業を簡略化できるという効果がある。
【００４８】
特に、基礎床部の床面もＰＣ化されて構成されるので、作業を大幅に短縮することができる。
【００４９】
請求項２記載の発明によれば、ＰＣ板を組み合わせてＰＣ基礎床部材が構成されるので、例えば一種類のＰＣ基礎床部材であっても、基礎床部の床面の大きさをある程度自由に設計変更できるという効果がある。
【００５０】
そして、製求項３記載の発明によれば、建築現場での基礎床面の表面処理を省略できるという効果がある。
【図面の簡単な説明】
【図１】本発明の実施例に係る基礎構造の斜視図である。
【図２】本発明の実施例に係る基礎構造の斜視図である。
【符号の説明】
１０    ＰＣ布基礎
１６    立上部
１８    フーティング部
２０    根切り部
３０    ＰＣ底盤
３２、３４    ＰＣ支持底盤
４０    ＰＣ基礎床部材
４２    床版
４４    床版支持部
５２、５４  ＰＣ板
１００    地盤
【図１】
0003609451.tif 000002
【図２】
0003609451.tif 000003